(57)【要約】【課題】ルームミラーに適用される電子ミラー装置であって、停車時に、乗員に対して有意な情報を提示でき、安全性の向上を図ることができる電子ミラー装置を提供する。【解決手段】電子ミラー装置は、車室内のルームミラーの取り付け位置に設置され、車両の後方視界を撮像する第１の車載カメラ又は車両の後側方視界を撮像する第２の車載カメラからの画像を表示する表示部と、自車両と後方車両との車間距離が所定距離未満であるか否かを判定する車間距離判定部と、車間距離が所定距離以上である場合に、表示部に第１の画像を表示させる一方、車間距離が所定距離未満である場合に、表示部に第２の画像を表示させる表示制御部と、を備える。【選択図】図３
2018069862.tif 000002
【特許請求の範囲】
【請求項１】
車室内のルームミラーの取り付け位置に設置され、車両の後方視界を撮像する第１の車載カメラ又は前記車両の後側方視界を撮像する第２の車載カメラからの画像を表示する表示部と、
自車両と後方車両との車間距離が所定距離未満であるか否かを判定する車間距離判定部と、
前記車間距離が所定距離以上である場合に、前記表示部に前記第１の車載カメラによって撮像された第１の画像を表示させる一方、前記車間距離が前記所定距離未満である場合に、前記表示部に前記第２の車載カメラによって撮像された第２の画像を表示させる表示制御部と、を備えることを特徴とする電子ミラー装置。
【請求項２】
自車両が停止中か走行中かを判定する車速判定部をさらに備え、
前記表示制御部は、自車両が停車中で、かつ、前記車間距離が所定距離未満である場合に、前記表示部に前記第２の画像を表示させることを特徴とする請求項１に記載の電子ミラー装置。
【請求項３】
前記車間距離判定部は、距離センサーからの検出結果に基づいて、前記車間距離の判定を行うことを特徴とする請求項１又は２に記載の電子ミラー装置。
【請求項４】
前記車間距離判定部は、前記第１の画像における前記後方車両の画像領域の占有面積に基づいて、前記車間距離の判定を行うことを特徴とする請求項１又は２に記載の電子ミラー装置。
【請求項５】
前記第１の画像における動きベクトルを検出する動き検出部をさらに備え、
前記表示制御部は、前記第２の画像の表示中に、前記動き検出部により前記第１の画像に横方向に一定以上の動きベクトルが検出された場合、前記第２の画像から前記第１の画像に切り替えることを特徴とする請求項１から４のいずれか一項に記載の電子ミラー装置。
【発明の詳細な説明】
【技術分野】
【０００１】
本発明は、車載カメラによって撮像された画像を表示する電子ミラー装置に関する。
【背景技術】
【０００２】
近年、車載カメラとディスプレイを組み合わせた電子ミラー装置が実用化され、将来的にバックミラー（ルームミラー等の室内後写鏡及びサイドミラー（ドアミラー）等の車外後写鏡を含む）に代わるものとして期待されている。電子ミラー装置においては、車載カメラによって車両周囲が撮像され、撮像画像がディスプレイに表示される。
【０００３】
例えば、特許文献１には、車両の後方視界を写すハーフミラーと、車両後部に設置されたリアカメラと、リアカメラによる撮像画像を表示する表示部とを備え、ミラー本体の角度によって撮像画像の表示／非表示を切り替える電子ミラー装置（車載用表示装置）が開示されている。また例えば、特許文献２には、ルームミラー近傍に設置されたミラーカメラと、車両後部に設置されたリアカメラと、ミラーカメラによる撮像画像とリアカメラによる撮像画像を切り替えて表示する表示部とを備え、それぞれの撮像画像に含まれる注目物体（例えば後続車両）のサイズが等しくなった場合に、表示する画像を切り替える電子ミラー装置が開示されている。
【先行技術文献】
【特許文献】
【０００４】
【特許文献１】特許第５９０６５０３号公報
【特許文献２】国際公開第２０１６／０４２７３３号
【発明の概要】
【発明が解決しようとする課題】
【０００５】
ところで、電子ミラー装置の表示部が、車室内のルームミラーの取付位置に設置される場合、停車時に後方車両が近づくと、表示部における後方車両の専有面積が大きくなり、後側方視界の視認は困難となる。そのため、例えば後部座席の乗員が降車時に電子ミラー装置を見ても、十分に安全確認を行うことができなくなる。
【０００６】
本発明の目的は、ルームミラーに適用される電子ミラー装置であって、停車時に、乗員に対して有意な情報を提示でき、安全性の向上を図ることができる電子ミラー装置を提供することである。
【課題を解決するための手段】
【０００７】
本発明に係る電子ミラー装置は、
車室内のルームミラーの取り付け位置に設置され、車両の後方視界を撮像する第１の車載カメラ又は前記車両の後側方視界を撮像する第２の車載カメラからの画像を表示する表示部と、
自車両と後方車両との車間距離が所定距離未満であるか否かを判定する車間距離判定部と、
前記車間距離が所定距離以上である場合に、前記表示部に前記第１の車載カメラによって撮像された第１の画像を表示させる一方、前記車間距離が前記所定距離未満である場合に、前記表示部に前記第２の車載カメラによって撮像された第２の画像を表示させる表示制御部と、を備えることを特徴とする。
【発明の効果】
【０００８】
本発明によれば、停車時に、乗員（特に後部座席の乗員）に対して有意な情報を提示でき、安全性の向上を図ることができる。
【図面の簡単な説明】
【０００９】
【図１】実施の形態に係る電子ミラー装置の設置態様を示す図である。
【図２】実施の形態に係る電子ミラー装置の構成を示す図である。
【図３】電子ミラー装置における表示処理の一例を示すフローチャートである。
【図４】後方車両との車間距離と、電子ミラー装置における表示例の関係を示す図である。
【図５】後方車両との車間距離と、電子ミラー装置における表示例の関係を示す図である。
【図６】後方車両との車間距離と、電子ミラー装置における表示例の関係を示す図である。
【図７】後方車両との車間距離と、電子ミラー装置における表示例の関係を示す図である。
【図８】電子ミラー装置における表示処理の他の一例を示すフローチャートである。
【発明を実施するための形態】
【００１０】
以下、本発明の実施の形態を、図面を参照して詳細に説明する。
【００１１】
図１は実施の形態に係る電子ミラー装置１の設置態様を示す図である。図２は、実施の形態に係る電子ミラー装置１の構成を示す図である。電子ミラー装置１は、例えば車両Ｖのフロントガラス近傍において、車室の天井に吊設され、後方確認のために用いられる。
【００１２】
電子ミラー装置１は、リアカメラ２１によって撮像された後方視界の画像（動画像）、又はサイドカメラ２２によって撮像された後方視界の画像を、表示部１２に選択的に表示する。リアカメラ２１は、例えば車両Ｖの後部ドアに設置され、車両Ｖの後方視界を撮像する。サイドカメラ２２は、例えば車両Ｖの左右のドラミラーの取付位置に設置され、車両Ｖの後側方視界を撮像する。
【００１３】
リアカメラ２１及びサイドカメラ２２は、例えばＣＣＤ（charge-coupled device）型イメージセンサー、ＣＭＯＳ（complementary metal oxide semiconductor）型イメージセンサーなどの撮像素子を有する。撮像素子によって光電変換された後方視界の画像を示す電気信号は、無線通信又は有線通信によって電子ミラー装置１に送信される。なお、サイドカメラ２２による撮像画像は、電子ミラー装置１とは異なる、サイドミラーの代替として用いられる電子ミラー装置において、常時表示されてもよい。
【００１４】
図１、図２に示すように、電子ミラー装置１は、制御部１１及び表示部１２等を備える。
【００１５】
表示部１２は、例えば表示パネル及びバックライト（図示略）を有する液晶ディスプレイである。表示部１２は、例えば車室内のフロントガラスの上部中央（一般的なルームミラーの取付位置）に取り付けられる（図１参照）。なお、表示部１２には、有機ＥＬディスプレイを適用してもよい。
【００１６】
制御部１１は、演算／制御装置としてのＣＰＵ１１１（Central Processing Unit）、主記憶装置としてのＲＯＭ１１２（Read Only Memory）及びＲＡＭ１１３（Random Access Memory）等を備える。ＲＯＭ１１２には、ＢＩＯＳ（Basic Input Output System）と呼ばれる基本プログラムや基本的な設定データが記憶される。ＣＰＵ１１１は、例えばＲＯＭ１１２から処理内容に応じたプログラムを読み出してＲＡＭ１１３に展開し、展開したプログラムを実行することにより、電子ミラー装置１の各ブロックの動作を集中制御する。
【００１７】
本実施の形態では、制御部１１は、表示処理プログラムを実行することにより、車間距離判定部１１Ａ及び表示制御部１１Ｂとして機能する。これらの機能については、図３のフローチャートに従って詳述する。なお、表示処理プログラムは、例えばＲＯＭ１１２に記憶される。
【００１８】
車両Ｖが走行しているとき、電子ミラー装置１では、リアカメラ２１による撮像画像が表示部１２に表示される（図４Ａ、図４Ｂ参照）。これにより、運転者は、後方車両の位置とともに、後側方視界を視認することができる。しかし、停車時に後方車両が近づくと、表示部１２における後方車両の専有面積が大きくなり、後側方視界の視認は困難となる（図５Ａ、図５Ｂ参照）。本実施の形態では、後方車両との車間距離に応じて、表示部１２における表示が、リアカメラ２１による撮像画像（以下「リアカメラ画像」と称する）からサイドカメラ２２による撮像画像（以下「サイドカメラ画像」と称する）に切り替えられる。
【００１９】
このとき、制御部１１は、後方車両との車間距離を検出する車間距離検出部２３からの検出信号に基づいて、車間距離が所定距離未満（例えば２ｍ未満）であるか否かを判定する（車間距離判定部１１Ａとしての処理）。
【００２０】
車間距離検出部２３には、例えば、ミリ波レーダー、赤外線センサー、又は超音波センサー等の距離センサーを適用できる。この場合、車間距離判定部１１Ａとしての制御部１１は、距離センサーからの出力信号を受け付けて、この出力信号に基づいて、後方車両との車間距離を判定する。距離センサーからの出力信号は、例えば、車両ＶのＥＣＵ（図示略）を介して取得することができる。
【００２１】
また例えば、車間距離判定部１１Ａは、リアカメラ画像を解析して、リアカメラ画像における後方車両の画像領域の専有面積に基づいて、車間距離を判定することもできる。
【００２２】
図３は、電子ミラー装置１における表示処理の一例を示すフローチャートである。この処理は、例えば車両Ｖが停車することに伴い、ＣＰＵ１１１がＲＯＭ１１２に格納されている表示処理プログラムを呼び出して実行することで実現される。
【００２３】
ステップＳ１０１において、制御部１１は、リアカメラ２１による撮像画像（リアカメラ画像）を、表示部１２に表示させる（表示制御部１１Ｂとしての処理）。
【００２４】
ステップＳ１０２において、制御部１１は、車間距離検出部２３から車間距離を示す情報（以下「車間距離情報」と称する）を取得する（車間距離判定部１１Ａとしての処理）。
【００２５】
ステップＳ１０３において、制御部１１は、後方車両との車間距離が所定距離未満であるか否かを判定する（車間距離判定部１１Ａとしての処理）。車間距離が所定距離未満である場合（ステップＳ１０３で“ＹＥＳ”）、ステップＳ１０４の処理に移行する。車間距離が所定距離以上である場合（ステップＳ１０３で“ＮＯ”）、ステップＳ１０１の処理に移行する。つまり、後方車両との車間距離が十分にある場合、リアカメラ画像において後側方視界を視認できるので、表示部１２には、継続してリアカメラ画像が表示される（図４Ａ参照）。
【００２６】
ステップＳ１０４において、制御部１１は、表示部１２におけるリアカメラ画像を、サイドカメラ２２による撮像画像（サイドカメラ画像）に切り替える。つまり、後方車両との車間距離が詰まっている場合、電子ミラー装置１においては、サイドカメラ画像が視認可能な状態となる（図６Ａ、６Ｂ参照）。図６Ｂでは、表示部１２が長手方向に２分割され、それぞれの表示領域に左右のサイドカメラ２２による撮像画像（左サイドカメラ画像及び右サイドカメラ画像）が表示されている。これにより、乗員（特に後部座席の乗員）は、電子ミラー装置１により後側方視界を確認することができる。
【００２７】
さらに、車両Ｖが停車しているとき、後方車両との車間を、バイクや歩行者がすり抜けようとする場合もある（図７Ａ参照）。この場合、サイドカメラ画像よりもリアカメラ画像を表示して後方の様子を確認できることが好ましい。
【００２８】
そこで、ステップＳ１０５において、制御部１１は、後方車両との車間をすり抜ける物体があるか否かを判定する。具体的には、制御部１１は、リアカメラ画像に横方向に一定以上の動きベクトルを検出した場合に、車間をすり抜ける物体があると判定する。車間をすり抜ける物体がある場合（ステップＳ１０５で“ＹＥＳ”）、ステップＳ１０６の処理に移行する。車間をすり抜ける物体がない場合（ステップＳ１０５で“ＮＯ”）、ステップＳ１０４の処理に移行する。
【００２９】
ステップＳ１０６において、制御部１１は、表示部１２におけるサイドカメラ画像を、リアカメラ画像に切り替える。つまり、後方車両との車間をすり抜けようとする物体がある場合、電子ミラー装置１においては、リアカメラ画像が視認可能な状態となる（図７Ａ、７Ｂ参照）。これにより、乗員は、電子ミラー装置１により、車両後方における変化を確認することができるので、安全性がさらに向上する。
【００３０】
ステップＳ１０６において、表示部１２における表示がリアカメラ画像に切り替えられた後は、ステップＳ１０５に移行する。すなわち、後方車両との車間をすり抜ける物体がいなくなるまでリアカメラ画像が表示され、車間をすり抜ける物体がいなくなった時点で、ステップＳ１０４に移行して、サイドカメラ画像に切り替えられる。なお、車両Ｖの発車に伴い、図３に示す表示処理は終了する。
【００３１】
このように、電子ミラー装置１は、車室内のルームミラーの取り付け位置に設置され、車両Ｖの後方視界を撮像するリアカメラ２１（第１の車載カメラ）又は車両Ｖの後側方視界を撮像するサイドカメラ２２（第２の車載カメラ）からの画像を表示する表示部１２と、自車両Ｖと後方車両との車間距離が所定距離未満であるか否かを判定する車間距離判定部１１Ａと、車間距離が所定距離以上である場合に、表示部１２にリアカメラ２１によって撮像されたリアカメラ画像（第１の画像）を表示させる一方、車間距離が所定距離未満である場合に、表示部１２にサイドカメラ２２によって撮像されたサイドカメラ画像（第２の画像）を表示させる表示制御部１１Ｂと、を備える。
【００３２】
電子ミラー装置１によれば、停車時における後方車両との車間距離が狭い場合には、リアカメラ画像からサイドカメラ画像に切り替えられるので、常に後側方視界を確認することができ、安全性が向上する。特に、後部座席の乗員が降車する際、後部座席からも電子ミラー装置１により後側方視界を確認できるので、安全に降車することができる。
【００３３】
［変形例］
図８は、電子ミラー装置１における表示処理の他の一例を示すフローチャートである。この処理は、例えば電子ミラー装置１の電源が投入されることに伴い、ＣＰＵ１１１がＲＯＭ１１２に格納されている表示処理プログラムを呼び出して実行することで実現される。
【００３４】
図８に示すフローチャートでは、図３に示すフローチャートに比較して、ステップＳ１０１とステップＳ１０２の間に、車両Ｖが停止中か走行中かを判定する処理（ステップＳ２０１）が追加されている。ステップＳ２０１において、制御部１１は、車速が所定値未満であるか否かを判定する（車速判定部としての処理）。車速は、例えば、車両ＶのＥＣＵ（図示略）を介して取得することができる。車速が所定値未満である場合（ステップＳ２０１で“ＹＥＳ”）、車両Ｖが停車していると判断され、ステップＳ１０２以降の処理が行われる。一方、車速が所定値以上である場合（ステップＳ２０１で“ＮＯ”）、ステップＳ１０１に移行する。すなわち、走行中は、後続車両との車間距離が所定距離未満となっても、表示部１２には、継続してリアカメラ画像が表示される。
【００３５】
このように、電子ミラー装置１における走行中を含む表示処理に本発明を適用する場合、走行中にはサイドカメラ画像への切り替えを行わないようにしてもよい。言い換えると、車両Ｖが停車中であって、かつ、車間距離が所定値未満となった場合に、リアカメラ画像からサイドカメラ画像に切り替わるようにすることが好ましい。これにより、走行中は、後続車が異常接近している状態を、そのまま乗員に認識させることができる。
【００３６】
以上、本発明者によってなされた発明を実施の形態に基づいて具体的に説明したが、本発明は上記実施の形態に限定されるものではなく、その要旨を逸脱しない範囲で変更可能である。
【００３７】
例えば、実施の形態では、後方車両との車間距離が狭い場合に、左右のサイドカメラ２２による撮像画像を表示するが、何れか一方のサイドカメラ２２による撮像画像を表示するようにしてもよい。この場合、ドアロックの解除と連動して、ドアロックが解除された側のサイドカメラ画像、すなわち、乗員が降車する側のサイドカメラ画像が表示されるようにしてもよい。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３９】
本発明は、リアカメラによる撮像画像を表示する電子ミラー装置に好適である。
【符号の説明】
【００４０】
１  電子ミラー装置
１１  制御部
１１Ａ  車間距離判定部
１１Ｂ  表示制御部
１２  表示部
２１  リアカメラ（第１の車載カメラ）
２２  サイドカメラ（第２の車載カメラ）
２３  車間距離検出部
【図１】
2018069862.tif 000003
【図２】
2018069862.tif 000004
【図３】
2018069862.tif 000005
【図４】
2018069862.tif 000006
【図５】
2018069862.tif 000007
【図６】
2018069862.tif 000008
【図７】
2018069862.tif 000009
【図８】
2018069862.tif 000010